(57)【要約】【課題】透光板の受光面を外部の塵埃による汚れから保護でき、かつ、かご室内への出張り寸法を小さくできるエレベータのかご室照明装置を提供すること。【解決手段】かご室の天井板2と、この天井板2と略平行に広がっておりＬＥＤ22が設けられた発光パネル20と、この発光パネル20の下面21aを覆って設けられた透光板30と、発光パネル20および透光板30を天井板2に対し固定する固定手段40とを備え、天井板2に開口部3が設けられ、透光板30は、発光パネル20側で開口する凹部31aを成し開口部3に挿入された本体部31と、この本体部31の外周全体から突出して設けられ、開口部3の周囲で天井板2に引っ掛かる環状の抜け止め部32と、この抜け止め部32よりも上方に位置し発光パネル20の縁部21cが載置された環状の支持部33とを備え、発光パネル20の縁部が支持部33に載置された状態において発光パネル20は凹部を塞いで位置する。【選択図】図４
2011168361.tif 000002
【特許請求の範囲】
【請求項１】
乗りかごのかご室の天井を成す天井板と、この天井板の広がり方向と略平行な方向に広がって位置し前記かご室側の面に発光素子が設けられた発光パネルと、この発光パネルの前記かご室側の面を覆って設けられた透光板と、前記発光パネルおよび前記透光板を前記天井板に対して固定する固定手段と、を備え、
前記発光素子により発せられた光は、前記透光板で拡散されつつこの透光板を透過し、前記かご室内を照明するエレベータのかご室照明装置において、
前記天井板にはこれを貫通した開口部が設けられ、
前記透光板は、前記発光パネル側で開口する凹部を成し前記開口部に前記発光パネル側から挿入された本体部と、この本体部の外周全体から前記天井板の広がり方向に突出して設けられ、前記開口部の周囲において前記天井板に引っ掛かる環状の抜け止め部と、この抜け止め部よりも上方に位置し、前記発光素子の周囲に位置する前記発光パネルの縁部が載置された環状の支持部と、を備え、
前記発光パネルの縁部が前記支持部に載置された状態において、前記発光パネルは前記凹部を塞いで位置する
ことを特徴とするエレベータのかご室照明装置。
【請求項２】
請求項１に記載のエレベータのかご室照明装置において、
前記抜け止め部と前記支持部との間には、前記発光パネルから前記本体部の下端までが占める領域の一部を、前記天井板よりも上方の領域に吸収するスペーサ部が設けられた
ことを特徴とするエレベータのかご室照明装置。
【請求項３】
請求項１または２に記載のエレベータのかご室照明装置において、
前記固定手段は、前記発光パネルを上方から覆って前記天井板の上面に着脱可能に取り付けられたカバー部材と、
このカバー部材または前記発光パネルに設けられ、前記発光パネルを弾性力により前記支持部に押し付ける押付手段と
を備えたことを特徴とするエレベータのかご室照明装置。
【発明の詳細な説明】
【技術分野】
【０００１】
本発明は、基板に配列された複数の発光素子を光源としてエレベータの乗りかご内を照明するエレベータのかご室照明装置に関する。
【背景技術】
【０００２】
従来、エレベータの乗りかごの天井には、乗りかご内を照明するかご室照明装置が設けられている。このかご室照明装置は、乗りかごのかご室の天井を成す天井板の下面（かご室側の面）に取り付けられた補強板と、この補強板の下面に取り付けられ発光素子が設けられた発光パネルと、この発光パネルの下面に支柱を介して取り付けられ発光素子を覆って位置する透光板とを備えている。発光パネルと透光板と間には、支柱の長さ分の隙間があいている。このように構成されたかご室照明装置において、発光素子により発せられた光は透光板で拡散されつつこの透光板を透過し、かご室内を照明する。（特許文献１参照）
【先行技術文献】
【特許文献】
【０００３】
【特許文献１】特開２００４−３３８８２５公報（段落００２９〜００３３，図２）
【発明の概要】
【発明が解決しようとする課題】
【０００４】
前述した従来のかご室照明装置では、発光パネルと透光板とは支柱の長さ分の隙間があいている。このため、発光素子からの光を受ける透光板の受光面は、発光パネルと透光板との間に入った塵埃により汚れやすく、したがって受光面を頻繁に清掃する必要があった。また、従来のかご室照明装置は、かご室内に出張っているため、乗客に圧迫感を与える懸念がある。
【０００５】
本発明は前述の事情を考慮してなされたものであり、その目的は、透光板の受光面を外部の塵埃による汚れから保護でき、かつ、かご室内への出張り寸法を小さくできるエレベータのかご室照明装置を提供することにある。
【課題を解決するための手段】
【０００６】
前述の目的を達成するために本発明は次のように構成されている。
【０００７】
〔１〕  本発明に係るエレベータのかご室照明装置は、乗りかごのかご室の天井を成す天井板と、この天井板の広がり方向と略平行な方向に広がって位置し前記かご室側の面に発光素子が設けられた発光パネルと、この発光パネルの前記かご室側の面を覆って設けられた透光板と、前記発光パネルおよび前記透光板を前記天井板に対して固定する固定手段と、を備え、前記発光素子により発せられた光は、前記透光板で拡散されつつこの透光板を透過し、前記かご室内を照明するエレベータのかご室照明装置において、前記天井板にはこれを貫通した開口部が設けられ、前記透光板は、前記発光パネル側で開口する凹部を成し前記開口部に前記発光パネル側から挿入された本体部と、この本体部の外周全体から前記天井板の広がり方向に突出して設けられ、前記開口部の周囲において前記天井板に引っ掛かる環状の抜け止め部と、この抜け止め部よりも上方に位置し、前記発光素子の周囲に位置する前記発光パネルの縁部が載置された環状の支持部と、を備え、前記発光パネルの縁部が前記支持部に載置された状態において、前記発光パネルは前記凹部を塞いで位置することを特徴とする。
【０００８】
この「〔１〕」に記載のエレベータのかご室照明装置はかご室内を照明する際、発光素子により発せられた光を、透光板の本体部の凹部の内面、すなわち受光面で受ける。本体部は天井板の開口部に挿入されているので、受光面で受けられた光は本体部で拡散されつつこれを透過し、かご室内に至る。
【０００９】
特に、「〔１〕」に記載のエレベータのかご室照明装置においては、発光パネルの縁部が透光板の支持部に載置された状態において、発光パネルは透光板の本体部の凹部を塞いで位置するので、外部から凹部内に塵埃が入ることはなく、したがって、透光板の受光面（凹部の内面）を外部の塵埃による汚れから保護することができる。
【００１０】
さらに、「〔１〕」に記載のかご室照明装置において、透光板は抜け止め部により開口部の周囲において天井板に引っ掛かり、抜け止め部よりも上方において発光パネルを支持部により本体部の下端（かご室側の端部）に対し位置決めする。これにより、発光パネル全体と、天井板の下面から発光パネルのかご室側の面までの領域に位置する透光板の部分とが天井板よりも下方に出張らない。したがって、かご室内へのかご室照明装置の出張り寸法を従来よりも小さくすること、または、出張り寸法をなくすことができる。
【００１１】
〔２〕  本発明に係るエレベータのかご室照明装置は「〔１〕」に記載のエレベータのかご室照明装置において、前記抜け止め部と前記支持部との間には、前記発光パネルから前記本体部の下端までが占める領域の一部を、前記天井板よりも上方の領域に吸収するスペーサ部が設けられたことを特徴とする。
【００１２】
この「〔２〕」に記載のかご室照明装置は、スペーサ部によって、発光パネルから本体部の下端までが占める領域のうち天井板よりも上方の領域に吸収した領域の上下方向の寸法分だけ、天井板からかご室内への出張り寸法を短縮することができる。また、発光パネルと本体部の凹部の内面（受光面）との上下方向の間隔を、天井板からの透光板の出張り寸法を大きくすることなく確保できる。その間隔の確保が特に必要な場合としては、例えば、透光板の本体部のかご室内に露出した面を略均一に発光させる面発光を生じさせる場合が挙げられる。
【００１３】
〔３〕  本発明に係るエレベータのかご室照明装置は、「〔１〕」または「〔２〕」に記載のエレベータのかご室照明装置において、前記固定手段は、前記発光パネルを上方から覆って前記天井板の上面に着脱可能に取り付けられたカバー部材と、このカバー部材または前記発光パネルに設けられ、前記発光パネルを弾性力により前記支持部に押し付ける押付手段とを備えたことを特徴とする。
【００１４】
この「〔３〕」に記載のエレベータのかご室照明装置は、固定手段が天井板の上面に位置するので固定手段をかご室内に露出させないようにすることができ、かつ、カバー部材で発光パネルを保護することができる。また、カバー部材の天井板への取付けと同時に発光パネルを押付手段により透光板の支持部に押し付けて発光パネルおよび透光板を天井板に対して固定でき、また、カバー部材の天井板からの取外しと同時に発光パネルおよび透光板の天井板に対する固定を解くことができる。
【発明の効果】
【００１５】
本発明に係るかご室照明装置は、前述のように透光板の受光面を外部の塵埃による汚れから保護でき、かつ、かご室内への出張り寸法を小さくできる。これによって、かご室照明装置の清掃の頻度を少なくでき、かつ、かご室照明装置により乗かごの乗客に対し与えられる圧迫感を低減できる。
【図面の簡単な説明】
【００１６】
【図１】本発明の第１実施形態に係るエスカレータのかご室を、このかご室の奥側からかご戸側に向かって見た場合の斜視図である。
【図２】第１実施形態に係るかご室照明装置の分解斜視図である。
【図３】第１実施形態に係るかご室照明装置の縦断面図である。
【図４】図３に示したかご室照明装置の一方の側部の拡大図である。
【図５】図１等に示したかご室照明装置にリニューアルされる前のかご室照明装置の縦断面図である。
【図６】第２実施形態に係るかご室照明装置の縦断面図である。
【発明を実施するための形態】
【００１７】
本発明の第１，第２実施形態に係るかご室照明装置について説明する。
【００１８】
［第１実施形態］
第１実施形態に係るかご室照明装置について図１〜図４を用いて説明する。
【００１９】
図１に示すように、エレベータのかご室１の天井は天井板２により形成されている。この天井板２には、第１実施形態に係るかご室照明装置１０が４灯設けられている。なお、図１中の４はかご戸である。
【００２０】
図２，図３に示すように、かご室照明装置１０は、かご室１の天井を成す天井板２と、この天井板２の広がり方向（水平方向）と略平行な方向に広がって位置しかご室１側の面に発光素子であるＬＥＤ２２（図３参照）が設けられた発光パネル２０と、この発光パネル２０の下面２１ａ（かご室１側の面）を覆って設けられた透光板３０とを備えている。
【００２１】
発光パネル２０は、天井板２の広がり方向と略平行な方向に広がって位置し長方形状に形成された板部材である基板２１を備えている。この基板２１の下面２１ａ（かご室１側の面）には、ＬＥＤ２２が複数配列されている。隣り合うＬＥＤ２２の間隔は一定であり、基板２１のかご室１側の面の略全体に均一に点在している。ただし、基板２１の縁部２１ｃにはＬＥＤ２２は設けられていない。基板２１の上面２１ｂ（かご室１側とは反対側の面）には、コネクタ２３が設けられている。このコネクタ２３は全てのＬＥＤ２２に電気的に接続されているとともに、配線２４に接続されている。配線２４を介して電源から供給される電力により複数のＬＥＤ２２は点灯するようになっている。
【００２２】
天井板２には、これを貫通した長方形状の開口部３が設けられている。透光板３０は透光性および光拡散性により面発光性能を発揮するアクリル製の部材であり、上面視において長方形状に形成されている。この透光板３０は、発光パネル２０側で開口する凹部３１ａを成し開口部３に発光パネル２０側から挿入された上面視長方形状の本体部３１と、この本体部３１の外周全体から天井板２の広がり方向に突出して設けられた環状の抜け止め部３２と、抜け止め部３２よりも上方に位置した環状の支持部３３とを備えている。抜け止め部３２は、開口部３の周囲において天井板２の上面に引っ掛かっている。支持部３３には、複数のＬＥＤ２２全体の周囲に位置する発光パネル２０の縁部２１ｃが載置されている。発光パネル２０の縁部２１ｃが支持部３３に載置された状態において、縁部２１ｃ全体が支持部３３に面接触または線接触し、これによって発光パネル２０は凹部３１ａを塞いで位置する。
【００２３】
天井板２の下面２ａに対する本体部３１の出張り寸法Ｘ１は、抜け止め部３２からの本体部３１の突出寸法ｈにより決まる。当然、この突出寸法ｈが小さいほど出張り寸法Ｘ１は小さくなる。したがって、出張り寸法Ｘ１が乗りかごの乗客に圧迫感を与えることが懸念される場合には突出寸法ｈを小さく設定すればよく、これによって例えば天井板２の下面２ａと略同一面となるよう突出寸法ｈを設定してもよい。
【００２４】
かご室照明装置１０において、透光板３０の本体部３１は前述のように天井板２の開口部３に挿入されている。したがって、かご室照明装置１０は、かご室１内を照明する際、ＬＥＤ２２により発せられた光を、透光板３０の本体部３１の凹部３１ａの内面、すなわち受光面で受け、本体部３１の下面３１ｃで面発光させてかご室１内を照明する。
【００２５】
透光板３０は抜け止め部３２と支持部３３との間にスペーサ部３４を備えている。このスペーサ部３４は、抜け止め部３２および支持部３３のそれぞれの広がり方向（水平方向）に対して略垂直に立ち上がっている。本体部３１と抜け止め部３２とスペーサ部と支持部３３は全体として階段状を成している。スペーサ部３４は、発光パネル２０から本体部３１の下端までが占める領域の一部を、天井板２よりも上方の領域に吸収するものである。抜け止め部３２から支持部３３までの高さ寸法は、スペーサ部３４により高さ寸法ｉに設定されている。この高さ寸法ｉと突出寸法ｈとの合計寸法ｊは、透光板３０の本体部３１のかご室１に露出した面である下面３１ｃに、略均一に発光する面発光を生じさせるために適切な寸法として設定されている。ＬＥＤ２２の輝度および本体部３１の面発光性能を変更しない場合、合計寸法ｊは短縮できない。したがって、出張り寸法Ｘ１を小さくするために突出寸法ｈを小さく設定すると、高さ寸法ｈを大きく設定することになり、同時に、天井板２の上面２ｂに対するカバー部材４１の出張り寸法Ｘ２も大きく設定することになる。出張り寸法Ｘ２を大きく変更するには、乗りかごの昇降路のオーバーヘッドの寸法も大きくする必要が生じる場合がある。一般的にはエレベータの省スペース化が望まれている中で、昇降路のオーバーヘッドの寸法を大きくするような設計変更は好ましくないので、このオーバーヘッドの設計変更が伴はない範囲で、出張り寸法Ｘ１が小さくなるよう突出寸法ｈと高さ寸法ｉが設定されている。
【００２６】
本体部３１と開口部３との寸法関係は、透光板３０の本体部３１の外側面３１ｂと天井板２の開口部３の内側面３ａとの間に、隙間Ｓが生じるよう設定されている。この隙間Ｓは、本体部３１の開口部３に対する抜き差しを可能にしている。また、開口部３の内側面３ａは、本体部３１の水平方向への移動を抑えている。
【００２７】
また、支持部３３の外縁部には環状の規制部３５が上方に突出して設けられており、この規制部３５によって、天井板２の広がり方向に平行な方向への発光パネル２０の移動が規制されている。
【００２８】
また、かご室照明装置１０は、天井板２に発光パネル２０および透光板３０を天井板２に対して固定する固定手段４０を備えている。この固定手段４０は、発光パネルを上方から覆って天井板２の上面に着脱可能に取り付けられたカバー部材と、このカバー部材４１に設けられ発光パネル２０を弾性力により支持部３３に押し付ける押付手段としての鋼製の板バネ４２とを備えた。
【００２９】
カバー部材４１は、外形が直方体状に形成されており、下側が開口した凹状を成す。このカバー部材４１の側部には取付孔４１ｂが設けられており、この取付孔４１ｂにネジ４４でＬ字状の取付金具４３の一辺４３ａが取り付けられている。取付金具４３の他辺４３ｂは、天井板２の上面に固定されている。
【００３０】
板バネ４２は、カバー部材４１の内側において上板部４１ａの略中央に２つ設けられている。これらの板バネ４２は下方向に末広がり状を成している。発光パネル２０は透光板３０の支持部３３に載置された状態で水平方向の移動を透光板３０の規制部３５より規制されることに加え、板バネ４２により支持部３３に押し付けられていることにより、天井板２に対して固定されている。
【００３１】
ところで、既存のかご室照明装置には、図５に示す既存のかご室照明装置１００がある。この既存のかご室照明装置は、第１実施形態に係るかご室照明装置１０のカバー部材４１と同形状のカバー部材１０１を備えている。このカバー部材１０１は、天井板２に固定された取付金具４３にネジ止めされている。このカバー部材１０１の内側の略中央には、円環状の蛍光管１０２が取り付けられている。天井板２には開口部３があけられており、この開口部３には、第１実施形態における透光板３０とは異なる形状の透光板１０３が挿入されている。この既存のかご室照明装置１００の構成は、第１実施形態に係るかご室照明装置１０の構成と、天井板２に開口部３が開いている点で共通している。したがって、既存のかご室照明装置１００をリニューアルする場合、開口部３を流用して第１実施形態に係るかご室照明装置１０に取り替えることができる。このリニューアルであれば、かご室の天井の構造全体を刷新するよりも、工期を短くコストを安く済ませることができる。
【００３２】
そのリニューアルの手順を次に説明する。
【００３３】
はじめに、既存のかご室照明装置１００の撤去作業を行う。この撤去作業では、作業員は始めに、乗りかごの上部に乗って制御ボックス（図示してない）に接続されている配線２４を取り外す。次に、取付金具４３からカバー部材１０１を取り外す。次に、カバー部材１０１から蛍光管１０２を取り外し、透光板１０３を天井板２から取り外す。最後に、透光板１０３が取り外されて露出した開口部３の周囲を清掃し、これで撤去作業が終了する。
【００３４】
次に、かご室照明装置１０の新設作業を行う。この新設作業では、作業員は始めに、乗りかごの上部に乗って透光板３０の本体部３１を、天井板２の開口部３に挿入し、開口部３の周囲において天井板２に透光板３０の抜け止め部３２を載置して引掛ける。これにより、透光板３０は開口部３の位置に保持される。次に、発光パネル２０の縁部２１ｃを透光板３０の支持部３３に載置する。この状態では、発光パネル２０は規制部３５により水平方向の移動を規制されている。次に、発光パネル２０のコネクタ２３に配線２４を電気的に接続する。次に、配線２４をカバー部材４１の通線孔４１ｃに通し、その状態のカバー部材４１で発光パネル２０および透光板３０を上方から覆いつつ、２つの取付孔４１ｂのそれぞれが２つ取付金具４３のそれぞれの位置に配されるよう天井板２の上面２ｂにカバー部材４１を載置する。次に、カバー部材４１を２つの取付金具４３にネジ止めする。この状態では、発光パネル２０は２つの板バネ４２の弾性力により透光板３０の支持部３３に押し付けられ、透光板３０の抜け止め部３２は２つの板バネ４２の弾性力により発光パネル２０越しに天井板２の上面に押し付けられ、これにより、天井板２に対して発光パネル２０および透光板３０が固定された状態となる。最後に、配線２４を制御ボックスに電気的に接続し、これで新設作業は終了する。
【００３５】
第１実施形態に係るかご室照明装置１０によれば次の効果を得られる。
【００３６】
第１実施形態に係るかご室照明装置１０においては、発光パネル２０の縁部２１ｃが透光板３０の支持部３３に載置された状態で発光パネル２０は凹部３１ａを塞いで位置するので、外部から凹部３１ａ内に塵埃が入ることはなく、したがって、透光板３０の受光面（凹部の内面）を外部の塵埃による汚れから保護することができる。これにより、かご室照明装置の清掃の頻度を少なくできる。
【００３７】
第１実施形態に係るかご室照明装置１０において、透光板３０は抜け止め部３２により開口部３の周囲において天井板２に引っ掛かり、抜け止め部３２よりも上方において発光パネル２０を支持部３３により本体部３１の下端（かご室１側の端部）に対し位置決めする。これにより、発光パネル２０全体と、天井板２の下面２ａから発光パネル２０の下面２ａ（かご室１側の面）までの領域に位置する透光板３０の部分とが天井板２よりも下方に出張らない。したがって、かご室内へのかご室照明装置の出張り寸法を従来よりも小さくすること、または、出張り寸法をなくすことができる。これにより、かご室照明装置により乗かごの乗客に対し与えられる圧迫感を低減できる。
【００３８】
第１実施形態に係るかご室照明装置１０は、透光板３０のスペーサ部３４によって、発光パネル２０から透光板３０の本体部３１の下端までが占める領域（寸法ｊに係る領域）のうち天井板２よりも上方の領域に吸収した領域の上下方向の寸法「ｊ−Ｘ１」分だけ、天井板２からかご室１内への出張り寸法を短縮することができる。また、発光パネル２０と本体部３１の凹部３１ａの内面（受光面）との上下方向の間隔、すなわち、透光板３０の本体部３１の下端で適切な面発光を生じさせるための間隔（寸法ｊ）を、天井板２からの透光板３０の出張り寸法を大きくすることなく確保できる。
【００３９】
第１実施形態に係るかご室照明装置１０は、固定手段４０が天井板２の上面２ｂに位置するので固定手段４０をかご室１内に露出させないようにすることができ、かつ、カバー部材４１で発光パネル２０を保護することができる。また、カバー部材４１の天井板２への取付けと同時に発光パネル２０を２つの板バネ４２（押付手段）により透光板３０の支持部３３に押し付けて発光パネル２０および支持部３３を天井板２に対して固定でき、また、カバー部材４１の天井板２からの取外しと同時に発光パネル２０および透光板３０の天井板２に対する固定を解くことができる。
【００４０】
第１実施形態に係るかご室照明装置１０は、既存のかご室照明装置１００の天井板２の開口部３、取付金具４３およびネジ４４を利用して、その既存のかご室照明装置１００からのリニューアルを行うことができ、これによってリニューアルの工期の短縮およびコストの削減に貢献できる。
【００４１】
なお、前述の第１実施形態において、カバー部材４１に設けられ発光パネル２０を弾性力により支持部３３に押し付ける押付手段は板バネ４２であったが、本発明における押圧手段は板バネに限定されるものではなく、ゴム製の弾性部材、ウレタン樹脂製の弾性部材であってもよい。また、押圧手段の設けられる個所は、カバー部材４１ではく発光パネル２０であってもよい。
【００４２】
また、第１実施形態において、発光パネル２０の縁部２１ｃは透光板３０の支持部３３に直接載置されているが、ゴム製、シリコン製等のパッキングを発光パネル２０の縁部２１ｃと支持部３３との間に介在させてもよく。これにより、透光板３０の受光面の汚れを防止する性能を向上させることができる。
【００４３】
また、第1実施形態に係るかご室照明装置１０は、かご室１内から見て長方形状になるよう形成されていたが、長方形以外の多角形、円形、楕円形など、どんな形状であってもよい。
【００４４】
［第２実施形態］
第２実施形態に係るかご室照明装置について図６を用いて説明する。
【００４５】
図６に示すように、第２実施形態に係るかご室照明装置２００は、第１実施形態に係る透光板３０とは異なる形状の透光板２０１を備えている。この透光板２０１の面発光性能は透光板３０と同じである。透光板２０１以外のかご室照明装置２００の構成は、かご室照明装置１０の構成と同様である。
【００４６】
かご室照明装置２００の透光板２０１は、かご室照明装置１０の透光板３０のようにスペーサ部３４を備えていない。なお、透光板２０１の板厚がスペーサ部として機能していると考えることもできるが、第２実施形態においてその板厚によるスペーサ部としての機能は実質的ではないため、第２実施形態においてはその考えを採用していない。このように透光板２０１がスペーサ部３４を備えてない場合、本体部３１の天井板２の下面に対する出張り寸法Ｘ１は、適切な面発光に必要な寸法ｊを確保するために第１実施形態の透光板３０よりも大きく設定されている。
【００４７】
第２実施形態に係るかご室照明装置２００によれば、第１実施形態に係るかご室照明装置１０と同様に、発光パネル２０の縁部２１ｃが透光板２０１の支持部３３に載置された状態において、発光パネル２０は凹部３１ａを塞いで位置するので、外部から凹部３１ａ内に塵埃が入ることはなく、したがって、透光板２０１の受光面（凹部の内面）を外部の塵埃による汚れから保護することができる。これにより、かご室照明装置の清掃の頻度を少なくできる。また、発光パネル２０全体と、天井板２の下面２ａから発光パネル２０の下面２１ａ（かご室１側の面）までの領域に位置する透光板２０１の部分とが天井板２よりも下方に出張らない。したがって、かご室１内へのかご室照明装置の出張り寸法を従来よりも小さくすることができ、これによって、かご室照明装置により乗かごの乗客に対し与えられる圧迫感を低減できる。
【００４８】
第２実施形態に係るかご室照明装置２００は第１実施形態に係るかご室照明装置１０と同様に、固定手段４０が天井板２の上面２ｂに位置するので固定手段４０をかご室１内に露出させないようにすることができ、かつ、カバー部材４１で発光パネル２０を保護することができる。また、カバー部材４１の天井板２への取付けと同時に発光パネル２０を２つの板バネ４２（押付手段）により透光板２０１の支持部３３に押し付けて発光パネル２０および支持部３３を天井板２に対して固定でき、また、カバー部材４１の天井板２からの取外しと同時に発光パネル２０および透光板２０１の天井板２に対する固定を解くことができる。
【００４９】
第２実施形態に係るかご室照明装置２００は第１実施形態に係るかご室照明装置１０と同様に、既存のかご室照明装置１００の天井板２の開口部３、取付金具４３およびネジ４４を利用して、その既存のかご室照明装置１００からのリニューアルを行うことができ、これによってリニューアルの工期の短縮およびコストの削減に貢献できる。
【符号の説明】
【００５０】
１  かご室
２  天井板
２ａ  下面
２ｂ  上面
３  開口部
１０  かご室照明装置
２０  発光パネル
２１  基板
２１ａ  下面
２１ｂ  上面
２１ｃ  縁部
２２  ＬＥＤ（発光素子）
３０  透光板
３１  本体部
３１ａ  凹部
３１ｂ  外側面
３１ｃ  下面
３２  抜け止め部
３３  支持部
３４  スペーサ部
３５  規制部
４０  固定手段
４１  カバー部材
４２  板バネ（押付手段）
２００  かご室照明装置
２０１  透光板
【図１】
2011168361.tif 000003
【図２】
2011168361.tif 000004
【図３】
2011168361.tif 000005
【図４】
2011168361.tif 000006
【図５】
2011168361.tif 000007
【図６】
2011168361.tif 000008